(57)【要約】【課題】アオコ回収技術の観点から自ら水面を浮遊し、吹送流により風下に集積するアオコの特性を利用して増殖期の表層アオコを効果的に回収除去することにある。【解決手段】外周に浮き環５ｂが取付けられ該浮き環５ｂにより喫水調整され内部に小径の内部取水管６を備えた二重管構造の浮き取水管５を風下の閉鎖水域表面に弓状に連結設置し、喫水位で内部取水管６を浮き取水管５の内周に内接すると共に内接する喫水位に複数の呑み口５ａを形成し、喫水位に設けた複数の呑み口５ａから浮上アオコを含む表層水を内部取水管６内に引き込む水中ポンプ７を設けた。【選択図】        図３
2005046672.tif 000002
【特許請求の範囲】
【請求項１】
増殖期のアオコの特性である密集してマット状を形成すると閉鎖水域表面に浮上し、吹送流で風下に集積する性質を利用して、外周に浮き環が取付けられ該浮き環により喫水調整され内部に小径の内部取水管を備えた二重管構造の浮き取水管を風下の閉鎖水域表面に弓状に連結設置し、喫水位で内部取水管を浮き取水管の内周に内接すると共に内接する喫水位に複数の呑み口を形成し、喫水位に設けた複数の呑み口から浮上アオコを含む表層水を内部取水管内に引き込む水中ポンプを設けたことを特徴とする浮き取水管方式アオコ回収装置。
【請求項２】
増殖期のアオコの特性である密集してマット状を形成すると閉鎖水域表面に浮上し、吹送流で風下に集積する性質を利用して、外周に浮き環が取付けられ該浮き環により喫水調整され内部に小径の内部取水管を備えた二重管構造の浮き取水管を風下の閉鎖水域表面に弓状に連結設置し、喫水位で内部取水管を浮き取水管の内周に内接すると共に内接する喫水位に複数の呑み口を形成し、喫水位に設けた複数の呑み口から浮上アオコを含む表層水を内部取水管内に引き込む水中ポンプを設け、採水されたアオコを含む表層水をアオコ分離水槽に送る送水管を配設し、送水管の一端側を内部取水管に接続し他端側をアオコ分離水槽に接続し、発生した微細気泡でアオコを含む表層水からアオコを水槽表面に分離浮上させる微細気泡発生機をアオコ分離水槽の水槽底部に設置し、水槽表面に浮上させたアオコをアオコ回収槽に搬送する傾斜コンベアを設け、アオコを除去した採水を元の閉鎖水域に戻す放水管を設け、放水管の一端側をアオコ分離水槽に接続し他端側を閉鎖水域に接続したことを特徴とする浮き取水管方式アオコ回収装置。
【請求項３】
アオコ分離水槽は陸上に設置されている請求項２記載の浮き取水管方式アオコ回収装置。
【請求項４】
アオコ分離水槽は閉鎖水域に浮かぶ台船上に搭載されている請求項２記載の浮き取水管方式アオコ回収装置。
【発明の詳細な説明】
【０００１】
【発明の属する技術分野】
この発明は、例えば湖沼などの閉鎖性水域で発生するアオコを回収する技術に係り、特に、アオコ回収技術の観点から自ら水面を浮遊し、吹送流により風下に集積するアオコの特性を利用して増殖期の表層アオコを効果的に回収除去する浮き取水管方式アオコ回収装置に関するものである。
【０００２】
【従来の技術】
全国の湖沼において、植物性プランクトンでアオコを形成する藍藻類に起因する水の華が顕在化し、大きな社会問題になっている。
根本的な対策は閉鎖性水域の水質を改善することであるが、窒素やリン等の栄養塩の流入や湖沼底泥に蓄積された栄養物質を削減することは容易ではなく、これらの理論を実用化に結びつけた技術はまだ確立していない。
一方、増殖期のアオコはいったんマットを形成すると水面に浮きあがり下に潜りにくくなる。そのため、水表面で生細胞が老化枯死したアオコの腐敗臭が湖沼の中央や吹送流により風下の湖岸に吹き寄せられ、周辺住民に深刻な悪臭公害を引き起こしている。
水の利用が逼迫している現状では、緊急的に異常発生したアオコの除去技術の開発が急務である。また、水の華が水面を浮遊する発生形態は他の藻類への光阻害を引き起こすだけでなく、景観障害の原因となる厄介な性質である。
ところで、従来のアオコ処理技術のうち主なものとしては、
（１）紫外線浄化施設や噴水式浄化施設などの固定施設を使用するもの、
（２）湖沼に挿入した吸水管から湖沼の水ごとアオコを採取し、加圧ポンプにより加圧して噴射ノズルで衝突させて殺藻処理し、そのまま湖沼に戻す設備を使用するもの、
（３）移動式設備としてアオコ回収船によるアオコを除去する方法、などが知られている。
【０００３】
【発明が解決しようとする課題】
しかしながら、前記の従来技術のアオコ処理にあっては、次のような課題がある。
（１）紫外線浄化施設や噴水式浄化施設などの固定施設のものは、湖沼に広範囲に発生するアオコの効果的な採集処理は難しく設備費、運転・維持管理費の面からみても改善すべき点が多い。
（２）湖沼に挿入した吸水管から湖沼の水ごとアオコを採取し、加圧ポンプにより加圧して噴射ノズルで衝突させて殺藻処理し、そのまま湖沼に戻す設備は、揚水量が膨大で経済性に欠ける。また、殺藻アオコを回収せず湖沼底に沈積させることは再び湖沼の底質悪化と水質悪化を繰り返すことになる。
（３）移動式設備としてアオコ回収船によるアオコの除去技術があるが、アオコ発生水域で回収船を航行させるため水域を撹乱して効果的に採取するには問題があり、設備費、運転費、維持管理費の面からも経済性に見合った効果を出すにはまだ改善すべき点が多い。
【０００４】
この発明は、上記のような課題に鑑み、その課題を解決すべく創案されたものであって、その目的とするところは、アオコ回収技術の観点から自ら水面を浮遊し、吹送流により風下に集積するアオコの特性を利用して増殖期の表層アオコを効果的に回収除去することのできる浮き取水管方式アオコ回収装置を提供することにある。
【０００５】
【課題を解決するための手段】
以上の目的を達成するために、請求項１の発明は、増殖期のアオコの特性である密集してマット状を形成すると閉鎖水域表面に浮上し、吹送流で風下に集積する性質を利用して、外周に浮き環が取付けられ該浮き環により喫水調整され内部に小径の内部取水管を備えた二重管構造の浮き取水管を風下の閉鎖水域表面に弓状に連結設置し、喫水位で内部取水管を浮き取水管の内周に内接すると共に内接する喫水位に複数の呑み口を形成し、喫水位に設けた複数の呑み口から浮上アオコを含む表層水を内部取水管内に引き込む水中ポンプを設けた手段よりなるものである。
【０００６】
また、請求項２の発明は、増殖期のアオコの特性である密集してマット状を形成すると閉鎖水域表面に浮上し、吹送流で風下に集積する性質を利用して、外周に浮き環が取付けられ該浮き環により喫水調整され内部に小径の内部取水管を備えた二重管構造の浮き取水管を風下の閉鎖水域表面に弓状に連結設置し、喫水位で内部取水管を浮き取水管の内周に内接すると共に内接する喫水位に複数の呑み口を形成し、喫水位に設けた複数の呑み口から浮上アオコを含む表層水を内部取水管内に引き込む水中ポンプを設け、採水されたアオコを含む表層水をアオコ分離水槽に送る送水管を配設し、送水管の一端側を内部取水管に接続し他端側をアオコ分離水槽に接続し、発生した微細気泡でアオコを含む表層水からアオコを水槽表面に分離浮上させる微細気泡発生機をアオコ分離水槽の水槽底部に設置し、水槽表面に浮上させたアオコをアオコ回収槽に搬送する傾斜コンベアを設け、アオコを除去した採水を元の閉鎖水域に戻す放水管を設け、放水管の一端側をアオコ分離水槽に接続し他端側を閉鎖水域に接続した手段よりなるものである。
【０００７】
ここで、請求項２の発明におけるアオコ分離水槽は陸上に設置され、又は閉鎖水域に浮かぶ台船上に搭載される。
【０００８】
【発明の実施の形態】
以下、図面に記載の発明の実施の形態に基づいて、この発明をより具体的に説明する。
ここで、図１（Ａ）は風下湖岸に設置した場合の設備全体平面配置図、（Ｂ）は湖沼中央の風下に設置した場合の設備全体平面配置図、図２（Ａ）は浮き取水管の側面図、（Ｂ）は浮き取水管の断面図、図３（Ａ）は浮き取水管と内部取水管のＴ分岐部の側面図、（Ｂ）は浮き取水管と内部取水管のＴ分岐部の平面図、図４はアオコ回収装置の構成を示す概要図である。
【０００９】
図において、図１（Ａ）は閉鎖水域としての例えば湖沼１の風下湖岸２水域に集積する表層アオコ３群を回収する場合の設備全体の平面配置図を示すもので、吹送流４により風下に集積移動する表層アオコ３に対してこれを囲むように浮き取水管５を弓状に連結し、その両端は係留索１３で固定されている。また、浮遊塵埃の風下への流入を阻止するため弓状の両端を結んで防塵網１２が設けられている。
【００１０】
風下湖岸２の陸上には表層アオコ３が混入したアオコ水ａからアオコを分離するアオコ分離水槽９が設置されている。浮き取水管５とアオコ分離水槽９との間には、浮き取水管５を通じて湖沼１から取水したアオコ水ａをアオコ分離水槽９に送り込むための送水管８が配設されている。送水管８の上流側は弓状の配置された浮き取水管５の中央の内部取水管６のＴ分岐部６ａに接続され、送水管８の下流側はアオコ分離水槽９に接続されている。又Ｔ分岐部６ａと送水管８との間には湖沼１から取水したアオコ水ａをアオコ分離水槽９に送り込む水中ポンプ７が設けられている。アオコ分離水槽９でアオコを分離した採水ｅを再び湖沼１に戻すための放水管１１がアオコ分離水槽９と湖沼１との間に配設されている。
【００１１】
図１（Ｂ）は閉鎖水域としての例えば湖沼１中央の風下に集積する表層アオコ３群を回収する場合の設備全体の平面配置図を示すもので、吹送流４により風下に集積移動する表層アオコ３に対してこれを囲むように浮き取水管５を弓状に連結し、その両端は係留索１３で固定されている。また、浮遊塵埃の風下への流入を阻止するため弓状の両端を結んで防塵網１２が設けられている。
【００１２】
表層アオコ３が混入したアオコ水ａからアオコを分離するアオコ分離水槽９が湖沼１に浮かぶ台船１４上に搭載されており、台船１４は係留索１５で湖沼１の水面上に保持固定されている。浮き取水管５とアオコ分離水槽９との間には、浮き取水管５を通じて湖沼１から取水したアオコ水ａをアオコ分離水槽９に送り込むための送水管８が配設されている。送水管８の上流側は弓状の配置された浮き取水管５の中央の内部取水管６のＴ分岐部６ａに接続され、送水管８の下流側はアオコ分離水槽９に接続されている。又Ｔ分岐部６ａと送水管８との間には湖沼１から取水したアオコ水ａをアオコ分離水槽９に送り込む水中ポンプ７が設けられている。台船１４に搭載されたアオコ分離水槽９でアオコを分離した採水ｅを再び湖沼１に戻すための放水管１１がアオコ分離水槽９に取付けられている。
【００１３】
図２（Ａ）（Ｂ）は浮き取水管５の単管を示すもので、浮体としての安定と所定の喫水ｆを維持するために浮き環５ｂが単管の浮き取水管５の両側に取り付けられている。浮き環８ａは浮き取水管５の両側の外周の周方向の全周に取付けられている。吹送流４により風下に流下するマット状の表層アオコ３を浮き取水管５に吸引するため、複数の呑み口５ａが両浮き環８ａの間の浮き取水管５の喫水ｆ近くに設けられている。各呑み口５ａは水平方向に横長になっている。
【００１４】
浮き取水管５は内部に呑み口５ａを共有する内部取水管６を有する二重管構造になっている。即ち、内部取水管６の一部は浮き取水管５の呑み口５ａ側に内接していて、その内接している部分で呑み口５ａを共有している。
【００１５】
二重管構造にする理由は、実験の結果、アオコ水ａがその内部を流れる取水管の直径が大きいと、表層アオコ３が浮かぶ表層水が流れずに、表層より下側の水のみが水中ポンプ７によって吸引されて管内を流れてＴ分岐部６ａから送水管８に送られ、表層アオコ３は取水管内に滞留する。これに対して、取水管の径を小さくすると、表層アオコ３が浮かぶ表層水も水中ポンプ７によって吸引されて管内を流れて、送水管８に送り出すことができる。その一方で、取水管の直径を小さくすると、水中ポンプ７の吸引による影響を受けて上下の変動が大きくなって浮体としての安定性が悪くなり、呑み口５ａの位置が大きく上下動してアオコ水ａを呑み口５ａから管内に安定して吸い込めないという不都合がある。
【００１６】
そこで二重管構造にして、外側の直径の大きな浮き取水管５は浮体として安定を保って呑み口５ａが上下動するのを防ぐ機能を果たし、内側の直径の小さな内部取水管６は呑み口５ａから管内に取水したアオコ水ａを水中ポンプ７によって確実に管内を流して送水管８に送り出す機能を果たすようにしたものである。
【００１７】
このように、二重構造の外側の直径の大きい浮き取水管５は浮体としての安定性の観点からその直径が設計され、内側の直径の小さな内部取水管６は表層アオコ３が浮かぶ表層水が水中ポンプ７による吸引によって管内を流れるという観点からその直径が設計される。
【００１８】
二重構造の外側を構成する浮き取水管５の下部には複数の通水口５ｃが形成されていて、内部取水管６の外側の浮き取水管５の内部に通水口５ｃを通じて外部の水を入れて外部と連通状態にして、浮き取水管５が上下に変動する場合に内部に入れた水がこれの抵抗として働いて浮体としての安定性を高めている。
【００１９】
一方、浮き取水管５の下面には水中でのアオコの潜り込みを防止するため下端にウエイト５ｆを付けたアオコ潜入防止シート５ｅが吊り下げてある。また、浮き取水管５の隣接する管同士の連結はフランジ接合とする。このため、各浮き取水管５の両端の周縁にはフランジ５ｄがそれぞれ溶接で取付けられている。
【００２０】
図３（Ａ）（Ｂ）は浮き取水管５と内部取水管６のＴ分岐部６ａを示す。Ｔ分岐部６ａは管内に引き込まれたアオコ水ａを効率よく水中ポンプ７を使って送水管８を通してアオコ分離水槽９に送水するもので、内部取水管６の合流部のＴ分岐部６ａの形状は流れ込みやすい呑み口の形状とする。また、送水管８を湖面上に配管する場合には送水管８に浮き環８ａを取り付けて湖上での安定を図る。
【００２１】
図４はアオコ回収装置の構成を示す。
アオコ回収装置は、アオコ水ａからアオコを分離するアオコ分離水槽９、アオコ分離水槽９で分離したアオコを回収するアオコ回収槽１０、アオコ水ａからアオコを分離するための微細気泡ｂを発生させる微細気泡発生機１６、アオコ分離水槽９で分離したアオコをアオコ回収槽１０に送る傾斜コンベア１７などから構成されている。
【００２２】
アオコ分離水槽９の一端側にはアオコ水注入口９ａが設けられており、アオコ水注入口９ａは送水管８の下流端出口であり、送水管８の下流端出口は図４においてアオコ分離水槽９の一端側となる左端側に下向きに取付けられている。アオコ水注入口９ａが設けられるアオコ分離水槽９の一端側となる左側の槽内には上下方向に中間隔壁９ｂが形成されている。中間隔壁９ｂは上部と下部が開放されて隣側と連通して中間部分を隣側と仕切るもので、アオコ水注入口９ａから流入したアオコ水ａは中間隔壁９ｂの上部又は下部から隣側に流入する構造になっている。
【００２３】
図４において中間隔壁９ｂで上下開放状態で仕切られる右隣側は加圧気泡発生室９ｃとなっており、その底部には微細気泡発生機１６が設置されている。加圧気泡発生室９ｃは図４においてその左側の側部は中間隔壁９ｂで仕切られ、又右側の下部の側部には上下方向に取付けられた下部隔壁９ｅによって仕切られている。微細気泡発生機１６は前記したようにアオコ水ａからアオコを分離するための微細気泡ｂを発生させる機器で、発生した微細気泡ｂによってアオコ水ａからアオコは分離されて浮上する。
【００２４】
図４において下部隔壁９ｅより右側上方には斜め上向きに傾斜する傾斜仕切板９ｄが取付けられている。傾斜仕切板９ｄはアオコ分離水槽９の右端側となる他端側の上部まで延設されて取付けられている。傾斜仕切板９ｄはその下方に形成される採水室９ｆとを仕切るもので、分離したアオコが下方の採水室９ｆに流入して採水室９ｆ内のアオコ水ａからアオコが分離された採水ｅに再び混入するのを防いでいる。
【００２５】
図４においてアオコ分離水槽９の右側下部には、この傾斜仕切板９ｄと下部隔壁９ｅとで囲まれる採水室９ｆが形成されている。この採水室９ｆはアオコ水ａからアオコが分離された採水ｅが流入する室で、下部隔壁９ｅの上端と傾斜仕切板９ｄの傾斜下端との間には採水ｅ流入用の採水流入口９ｇが形成されている。
アオコ水ａからアオコが分離された採水ｅはこの採水流入口９ｇから採水室９ｆに流入する。
【００２６】
また、採水流入口９ｇの反対側となる採水室９ｆの下部側面には放水管１１の一端側が接続されている。放水管１１の他端側は湖沼１に通じており、採水室９ｆ内の採水ｅはこの放水管１１を通じて再び湖沼１に戻すことができるようになっている。
【００２７】
アオコ分離水槽９の傾斜仕切板９ｄの上部側には傾斜コンベア１７が同様に傾斜状態で取り付けられている。傾斜コンベア１７はアオコ分離水槽９で分離したアオコを隣の回収槽１０に搬送する機器で、傾斜コンベア１７の傾斜下端側はアオコ分離水槽９の水中に没しており、又傾斜コンベア１７の傾斜上端側はアオコ分離水槽９に隣接する回収槽１０の上部に延設されている。この傾斜コンベア１７には無端状の布製ベルト１７ａが長円形状に循環動自在に張設されている。また、この傾斜コンベア１７の傾斜最上段にはスクレーパー１８が斜め下向きに取付けられている。
【００２８】
次に、上記発明の実施の形態の構成に基づく作用について以下説明する。
図１（Ａ）の閉鎖水域としての例えば湖沼１の風下湖岸２水域に集積する表層アオコ３群を回収する場合、或いは図１（Ｂ）の閉鎖水域としての例えば湖沼１中央の風下に集積する表層アオコ３群を回収する場合、吹送流４により風下に集積移動する表層アオコ３に対してこれを囲むように浮き取水管５を弓状に連結し、その両端を係留索１３で固定し、また、浮遊塵埃の風下への流入を阻止するため弓状の両端を結んで防塵網１２を設ける。そして、湖岸２の陸上に設置されたアオコ分離水槽９又は湖沼１の台船１４上に搭載されたアオコ分離水槽９に、浮き取水管５側の送水管８の下流側を接続した後に水中ポンプ７を作動させる。
【００２９】
水中ポンプ７を作動させると、湖沼１の表層アオコ３は弓状の浮き取水管５の内側に吸い寄せられて移動して、浮き取水管５の呑み口５ａから内部取水管６に引き込まれる。浮き取水管５の呑み口５ａから内部取水管６に引き込まれた表層アオコ水ａは、内部取水管６中央のＴ分岐部６ａに取り付けた水中ポンプ７に引かれて管内を流下して、送水管８内に送り込まれ、送水管８から陸上又は湖沼１上のアオコ分離水槽９に送られる。
【００３０】
アオコ水ａは送水管８を通ってアオコ分離水槽９のアオコ水注入口９ａから水槽９に注水され、中間隔壁９ｂの開放された下部を通って隣の加圧気泡発生室９ｃに入る。加圧気泡発生室９ｃの底部には微細気泡発生機１６が取付けられていて、この微細気泡発生機１６で発生した微細気泡ｂにより加圧気泡発生室９ｃに入ったアオコ水ａの中のアオコは浮上してアオコ分離水槽９の傾斜仕切板９ｄ上の表層に押し上げられる。
【００３１】
アオコ分離水槽９の表層アオコｃは傾斜下段側を水面下に入れた傾斜コンベア１７の布製ベルト１７ａ上に掻き上げられて傾斜コンベア１７上を上昇し、最上段でスクレーパー１８で削り取られ、残りの付着したアオコは圧搾空気ｄを使って吹き落とされてアオコ回収槽１０に回収される。
【００３２】
更に、残りの浮上アオコは傾斜仕切板９ｄ上を駆動する傾斜コンベア１７により繰り返し掻き上げられ回収する。アオコが除去された採水ｅは採水流入口９ｇから採水室９ｆ内に流入し、採水室９ｆ内を流れて反対側の下部に一端が接続された放水管１１を流下して元の湖沼１に放流される。このように、アオコと湖水に分離されてアオコは回収槽１０に回収され、処理後の採水ｅの浄化水は放水管１１から湖沼１に放流される。
【００３３】
このように、本発明は次の二つの技術要素から構成されている。一つが連結した二重管構造からなる浮き取水管５により広範囲の表層アオコを採取する技術。
二つがアオコ分離水槽９で微細気泡を利用してアオコを浮上させて湖水と分離させて回収する技術である。つまり、
（１）吹送流により風下に集積するアオコをその風下で弓状に連結配置した浮き取水管５で受け止める。
（２）浮き取水管５には喫水面近くに複数の呑み口５ａを設けてあり、弓状の全長にわたって表層近くのアオコ水ａを採水できる。
（３）弓状浮き取水管５の中央部に設けられた水中ポンプ７により、アオコ水ａは呑み口５ａから内部取水管６内に引き込まれて管中央に向かって流下し、送水管８に送られる。
（４）弓状を形成する浮き取水管５の単管は浮体としての安定と喫水深を維持するために浮き環５ｂを取り付け、浮き取水管５の下部には下端にウエイト５ｆを付けたアオコ潜入防止シート５ｅを吊り下げる。
（５）採水されたアオコ水ａは送水管８を通ってアオコ分離水槽９に送られ、微細気泡発生機１６でアオコを浮上させてアオコと湖水に分離する。
（６）浮上したアオコは傾斜コンベア１７の布製ベルト１７ａに掬い上げられ、コンベア上段でスクレーパー１８で削り取られ、布製ベルト１７ａに付着したアオコは圧搾空気ｄで吹き落とされてアオコ回収槽１０に回収する。処理後の浄化水は湖沼１に放出される。
【００３４】
なお、この発明は上記発明の実施の形態に限定されるものではなく、この発明の精神を逸脱しない範囲で種々の改変をなし得ることは勿論である。
【００３５】
【発明の効果】
以上の記載により明らかなように、本発明に係る浮き取水管方式アオコ回収装置によれば、次のような効果を奏することができる。
（１）湖沼などの閉鎖性水域で異常発生する増殖期のアオコの特性である水面上でマットを形成して水面浮遊し、吹送流により風下に集積する性質を利用して、湖沼の水表面にマットを形成する高密度のアオコを表層取水して採取することによって、吹送流により風下に集積されたアオコ群を広い範囲で効率的に採取でき、効果的且つ経済的にアオコを採取することができる。
（２）アオコ発生水域の風下に弓状に連結し、多数の呑み口を有する浮き取水管の内部取水管により表層のアオコ水を採水するため広範囲に且つ有効にアオコを採取することができる。
（３）採水したアオコ水（アオコを含む湖水の略称）は二重管構造からなる浮き取水管の内部取水管内を通ってアオコ分離水槽に導かれてアオコと湖水に分離され、アオコだけを回収して除去することにより、従来の殺藻アオコの死骸を湖沼などの閉鎖性水域に戻して水底に蓄積させる方法により再発する湖沼などの閉鎖性水域の底質悪化と水質悪化を防止できる。
（４）本発明の装置の設置は現地湖沼における地形やアオコ発生状況に応じて湖沼中央の風下水域に設置することも、風下湖岸水域に設置することも可能で使用場所を限定しない。このように、本発明の装置は湖沼などの閉鎖性水域の中央水域や湖岸水域を問わず、現地湖沼などの閉鎖性水域でのアオコの発生状況に合わせて設置し、利用できる。
（５）本発明の装置は現地での組み立てや解体移設ができるため、近隣の湖沼などの閉鎖性水域間で装置の共有化や融通し合った運用ができる。
（６）本発明の装置はシンプルな構造であるため、従来の設備に比べて効率的で、運転に投入する人員も少なくでき、設備費、運転費、維持管理費の面からみても経済的である。
【図面の簡単な説明】
【図１】（Ａ）はこの発明の実施の形態を示す風下湖岸に設置した場合の設備全体平面配置図である。
（Ｂ）はこの発明の実施の形態を示す湖沼中央の風下に設置した場合の設備全体平面配置図である。
【図２】（Ａ）はこの発明の実施の形態を示す浮き取水管の側面図である。
（Ｂ）はこの発明の実施の形態を示す浮き取水管の断面図である。
【図３】（Ａ）はこの発明の実施の形態を示す浮き取水管と内部取水管のＴ分岐部の側面図である。
（Ｂ）はこの発明の実施の形態を示す浮き取水管と内部取水管のＴ分岐部の平面図である。
【図４】この発明の実施の形態を示すアオコ回収装置の構成を示す概要図である。
【符号の説明】
１    湖沼
２    湖岸
３    表層アオコ
４    吹送流
５    浮き取水管
５ａ  呑み口
５ｂ  浮き環
５ｃ  通水口
５ｄ  フランジ
５ｅ  アオコ潜入防止シート
５ｆ  ウエイト
６    内部取水管
６ａ  Ｔ分岐部
７    水中ポンプ
８    送水管
８ａ  浮き環
９    アオコ分離水槽
９ａ  アオコ水注入口
９ｂ  中間隔壁
９ｃ  加圧気泡発生室
９ｄ  傾斜仕切板
９ｅ  下部隔壁
９ｆ  採水室
９ｇ  採水流入口
１０    アオコ回収槽
１１    放水管
１２    防塵網
１３    係留索
１４    台船
１５    係留索
１６    微細気泡発生機
１７    傾斜コンベア
１７ａ  布製ベルト
１８    スクレーパー
ａ    アオコ水
ｂ    微細気泡
ｃ    表層アオコ
ｄ    圧搾空気
ｅ    採水
ｆ    喫水
【図１】
2005046672.tif 000003
【図２】
2005046672.tif 000004
【図３】
2005046672.tif 000005
【図４】
2005046672.tif 000006